【事件の表示】
　平成１０年特許願第１９９５号「電子部品実装装置におけるノズル取付状態の検査方法」拒絶査定不服審判事件〔平成１１年７月３０日出願公開、特開平１１−２０４９９６〕について、次のとおり審決する。
【結　論】
　本件審判の請求は、成り立たない。
【理　由】
１．手続の経緯
　本願は、平成１０年１月８日の出願であって、平成１６年１２月２２日付けで拒絶査定がされ、これに対し、平成１７年２月４日に拒絶査定に対する審判請求がされ、同年２月１８日付けで手続補正がされたものである。
　
２．平成１７年２月１８日付け手続補正についての補正却下の決定
［補正却下の決定の結論］
　平成１７年２月１８日付け手続補正（以下「本件補正」という。）を却下する。
　
［理由］
（１）手続補正の内容
　本件補正のうち特許請求の範囲に係る補正事項は、特許請求の範囲の限定的減縮を目的として、特許請求の範囲の請求項１の「・・・判別結果によりノズルの取付エラーが検出されたならば報知手段により報知する工程・・・」を「・・・判別結果によりノズルの取付エラーが検出される都度エラー情報登録を行い、この登録を行った時点で報知手段によりその旨報知するとともに、誤って取付けられているノズルの種類をモニタに表示する工程・・・」と、報知工程に、エラー情報登録とモニタ表示とを付加して「検出される都度エラー情報登録を行い、この登録を行った時点で・・・その旨報知するとともに、誤って取付けられているノズルの種類をモニタに表示する」という限定を付加するものといえる。そして、補正後の請求項１に係る発明は、その請求項１に記載された事項により特定される次のとおりのものである。
　
「移載ヘッドが有する複数本の電子部品吸着用のノズルの取付状態を検査する電子部品実装装置におけるノズル取付状態の検査方法であって、ノズルデータ記憶部に移載ヘッドのノズルの配置図とノズル形状データを含むノズルデータを記憶しておき、検査対象のノズルを検査位置に移動させる工程と、このノズルを電子部品認識用のカメラにより撮像する工程と、撮像結果を認識しこの認識結果をノズルデータ記憶部に記憶された前記ノズルデータと対比して検査対象のノズルの有無および種類を判別する工程と、判別結果によりノズルの取付エラーが検出される都度エラー情報登録を行い、この登録を行った時点で報知手段によりその旨報知するとともに、誤って取付けられているノズルの種類をモニタに表示する工程とを含み、前記各動作をノズルチェックプログラム記憶部に記憶された動作プログラムに従って電子部品実装装置を動作させることにより、全ての移載ヘッドの全てのノズルについて検査を行うことを特徴とする電子部品実装装置におけるノズル取付状態の検査方法。」（以下、「本願補正発明」という。）
　
（２）当審の判断
（独立特許要件違反について）
（２−１）引用刊行物とその記載事項
　原査定の理由で引用された刊行物１〜５（刊行物１〜３は、拒絶理由通知において、引用された刊行物であり、刊行物４及び５は、拒絶査定において引用された刊行物である。）には、次の事項が記載されている。
　
（１）刊行物１：特開平６−１０４５９６号公報
（１ａ）「【０００４】
【発明が解決しようとする課題】このような装置において、ヘッドユニットに吸着ノズルが取り付けられるときに誤作業や組付け誤差があった場合、従来はこれを直接的に調べる状態がなかったため、種々のトラブルを生じるおそれがあった。
【０００５】例えば、ヘッドユニットに対する吸着ノズルの取付位置や取付角度の誤差や吸着ノズルの曲り等による吸着ノズル組付け誤差があった場合、それに応じた調整が行われないと、上記本作業における部品吸着後の部品吸着状態の判定等の処理が正しく行われなくなることがある。
【０００６】また、上記ヘッドユニットに対する吸着ノズルの取り付け、交換が行なわれるときに、吸，装着されるべきチップ部品に対応する正規の吸着ノズルとは違った吸着ノズルが誤って取り付けられる場合がある。このような誤りは、手作業による場合は勿論、自動的にノズル交換が行なわれる場合でもノズル指定の入力ミス等で生じる可能性がある。このように間違いが見過ごされた場合、吸，装着作業時に吸着不良の続出等のトラブルを招く。
【０００７】本発明は上記の事情に鑑み、ヘッドユニットに対する吸着ノズルの取り付け時に誤作業あるいは組付け誤差等があった場合にこれを明確に判別することができ、トラブルを未然に防止することができる部品装着方法および同装置を提供することを目的とする。」
　
（１ｂ）「【０００８】
【課題を解決するための手段】上記目的を達成するために、（中略）
【００１５】第８の発明は、部品供給側と装着側とにわたって移動可能とされ、かつ吸着ノズルが取り付けられているヘッドユニットを備え、このヘッドユニットにより部品供給側からチップ部品を吸着してこれを装着側の所定位置に装着する部品装着装置において、ヘッドユニットに具備された平行光線の照射部および受光部により物品の投影を検知する光学的検知手段と、上記吸着ノズルを回転させる回転駆動手段と、上記吸着ノズルを回転させつつ上記光学的検知手段により吸着ノズルの投影を検知したときのデータに基づいて吸着ノズルの回転中心を検出する回転中心検出手段と、この吸着ノズルの回転中心を記憶する記憶手段と、上記吸着ノズルによるチップ部品の吸着後に吸着ノズルを回転させつつ上記光学的検知手段によるチップ部品の投影の検知を行わせ、その検知データと上記記憶手段から読み出した回転中心とに基づいて、チップ部品吸着位置のずれに対応する装着位置補正量を求める補正手段とを備えたものである。」
　
（２）刊行物２：特開平７−１８３６９４号公報
（２ａ）「【０００７】
【課題を解決するための手段】以上の課題を解決すべく本発明は、吸着ヘッドと、この吸着ヘッドに着脱可能とするノズルと、前記吸着ヘッド部分の近傍に向けて側方から、例えば、レーザー光等の光を照射する発光部と、この発光部に対して前記吸着ヘッド部分を挟んで対向する位置に配置されて前記発光部が照射した光を受光する、例えば、ＣＣＤラインセンサ等の受光部とからなる光学的検出装置を備えた部品実装装置において、前記吸着ヘッドに装着した前記ノズルの径と長さの少なくとも一方を測定する検出手段と、その測定値に基づいて前記ノズルの装着の有無を含む前記ノズルの確認と、前記吸着ヘッドの上下方向の高さの原点出しの少なくとも一方を検出する制御手段を持つことを特徴としている。
【０００８】
【作用】発光部により側方から吸着ヘッド部分の近傍に向けて光を照射し、その吸着ヘッド部分を挟んで対向する位置に配置された受光部により光を受光する光学的検出装置を備えた部品実装装置なので、例えば、吸着ヘッドに装着したノズルの径の測定、ノズルの装着の有無を含むノズルの確認と、吸着ヘッドの上下方向の高さ位置の原点出しの検出が行える。」
　
（２ｂ）「【００１３】この光学的検出装置は、所謂レーザーアライン装置と呼ばれるもので、発光部２２から発せられたレーザー光Ｌが被検出体を越えて受光部２４に受光された際に、被検出体の存在による非投影部分を基に被検出体の形状および寸法等を測定できるものである。従って、このようなレーザーアライン装置による光学的検出装置を部品実装装置に適用した場合、吸着ヘッド１の形状や直径φＤZ（図２参照）、ノズル１１，１２，１３，１４，１５等の形状やノズル先端部１１ａ等の径φＤや寸法Ｍ（図２参照）、各種部品の形状等を予めデータとして得ておく。
【００１４】以上のようなレーザーアライン装置による光学的検出装置を備えた部品実装装置によれば、吸着ヘッド１に装着したノズル１１の先端部１１ａの幅測定によりその径φＤを測定して、予め与えられたノズル径データと概略一致するかどうかを調べることができる。以下に、その与えられたノズル径データとしての＜表１＞を例示する。」
　
（３）刊行物３：特開平８−８６００号公報
（３ａ）「【特許請求の範囲】
【請求項１】部品を供給する部品供給部と、基板を位置決めするテーブルと、部品の品種に応じた複数のノズルを備えた移載ヘッドを備え、前記ノズルの水平投影画像を取得するカメラと、前記ノズルの下端部の高さを検出するノズル高さ検出部と、前記カメラの画像と前記ノズル高さ検出部の高さとを総合してノズルの品種を判定する判定部を備えたことを特徴とする電子部品実装装置。」
　
（３ｂ）「【０００１】
【産業上の利用分野】本発明は、部品の実装に先立ちノズルの装着ミスを調べる電子部品実装装置に関するものである。」
　
（３ｃ）「【０００６】
【作用】上記構成において、移載ヘッドのノズルにより、部品供給部から部品を吸着し、基板に実装する動作を行うに先立ち、カメラによるノズルの水平投影画像と、ノズル高さ検出部によるノズルの下端部高さとから、判定部がノズルの品種を判別する。この判別の結果、ノズルの品種に誤まりがあれば、実装動作の前に正しいノズルに交換して、実装動作の不具合を回避することができる。」
　
（３ｄ）「【０００７】
【実施例】次に図面を参照しながら、本発明の実施例を説明する。図１は本発明の一実施例における電子部品実装装置の平面図である。図１中、１は基台、２は基台１の中央上方に設けられ、図示しない駆動手段により矢印Ｍ方向にインデックス回転するロータリーヘッド、４はロータリーヘッド２の円周部に複数個設けられる移載ヘッド、３は移載ヘッド４の円周部に吸着する部品の品種に応じて複数本下向きに設けられるノズルである。Ａは基台１の後部に配設される部品供給部であり、このうち５は異なる品種の部品Ｐを１ケずつ供給するパーツフィーダ、６はパーツフィーダ５が並設される移動テーブル、８は移動テーブル６の後部に設けられた送りナット７螺合し、Ｘ方向に延び、基台１に回転自在に軸支される送りねじ、９は送りねじ８を回転させる駆動モータである。駆動モータ９を駆動すると、ロータリーヘッド２の部品供給ステーションＳ１に必要な品種の部品Ｐを供給するパーツフィーダ５を位置させることができる。
【０００８】Ｓ２はロータリーヘッド２の下部に設けられ、かつ後に詳述する観察手段Ｂにより、ノズル３の水平投影画像を取得すると共に、ノズル３に吸着された部品Ｐの位置ずれΔＸ，ΔＹなどを計測する第１の認識ステーションである。Ｓ３は、後に詳述するノズル高さ検出部Ｃにより、ノズル３の下端部高さ情報を取得する第２の認識ステーションである。また、１１，１２は基台１の前部に設けられ、基板２０を矢印Ｎ１方向に搬入する基板搬入コンベア、１３，１４は部品Ｐの実装が終了した基板２０を矢印Ｎ２方向に搬出する基板搬出コンベアである。また１５は、基台１上に設けられＸモータ１６により駆動されるＸテーブル、１７はＹモータ１８に駆動されるＹテーブルであり、Ｙテーブル１７上には、基板２０を保持する基板ホルダ１９が設けられている。Ｓ４は、Ｘテーブル１５、Ｙテーブル１７により位置決めされた基板２０にノズル３が部品Ｐを実装する部品実装ステーション、Ｓ５は次回使用するノズル３を選択するノズル選択部２１が設けられたノズル選択ステーションである。そしてロータリーヘッド２が矢印Ｍ方向にインデックス回転することにより、移載ヘッド４は部品供給ステーションＳ１、認識ステーションＳ２、部品実装ステーションＳ３、ノズル選択ステーションＳ４を順次循環してゆくものである。」
　
（３ｅ）「【００１１】図４は本発明の一実施例における電子部品実装装置のブロック図であり、５１はカメラ３１が得た画像を認識する認識部、５２はカメラ３１が得た画像やノズル高さ検出部Ｃが計測したノズル３の下端部の高さなどのデータを一時記憶する一時記憶部、５３は図５のフローチャートに従って注目しているノズルの品種を判定する判定部である。
【００１２】図５は本発明の一実施例における電子部品実装装置のノズル品種判定のフローチャートである。ここで図５の処理は本発明の一実施例における電子部品実装装置の運転開始時にノズル３が移載ヘッド４に装着された後、電子部品の実装動作の前に行われる。そして、この処理により、ノズル３の装着ミスをチェックし、装着ミスがあれば作業者がノズルの訂正を行うものである。
【００１３】さて、ステップ１において、判定部５３は一時記憶部５２の画像データを調べ、図６（ａ）のように大径の像について大ノズル（ステップ２）、図６（ｂ）のように小径の像について１００５ノズル（ステップ３）と判定する。しかし、中径の像については１６０８ノズルかメルフノズルかのどちらかは留保して（ステップ４）、ノズル高さ検出部Ｃが検出したところの注目しているノズルの下端部の高さデータを調べる（ステップ５）。そして、図７（ａ）に示す１６０８ノズルの高さＨ１とほぼ一致すれば１６０８ノズルと判定し（ステップ６）、メルフノズルの高さＨ２と一致すればメルフノズルと判定する（ステップ７）。」
　
（４）刊行物４：特開平７−３０２９９７号公報
（４ａ）「【０００２】
【従来の技術】この種電子部品自動装着装置が特開平４−１４８５９９号公報に開示されており、電子部品を吸着する吸着ノズルは電子部品の種類に応じて装着ヘッドに複数種類について複数本取り付けられている。ヘッドへの取り付け位置毎のノズルの種類のデータを記憶して次に取り出す電子部品の種類に応じたノズルが切り替え使用される。従ってノズルの種類に応じてヘッドに取り付けるべきノズルの種類あるいはヘッドの所定の位置に取り付けるべきノズルの種類はあらかじめ決められていた。」
　
（４ｂ）「【００１７】前記ＲＡＭ３７には図７に示すようにノズル取り付け位置番号毎にノズル種類データが格納されるようにされており、図７のデータを以下ノズルデータという。前記ＲＡＭ３７には図８に示す装着データ及び図９に示す部品ライブラリデータが格納されている。装着データ中ステップ番号は部品装着順を示し、リール番号は取り出すべき部品種の部品５を供給する部品供給装置８が配設されている供給台７上の位置を示し、合わせ該部品種及び装着位置データが記憶されている。」
　
（５）刊行物５：特開平５−１２１８９６号公報
（５ａ）「【００３５】また、図１０に示されるような種類のノズル（１２）が、各ヘッド（１３）の各ノズル取付け位置のノズル取付体（３８）に取付けられる。」
　
（５ｂ）「【００５２】先ずノズル（１２）の交換について説明する。次にチップ部品（４）を装着すべき基板（５）に対応した各ヘッド（１３）及び各ノズル取付位置への取付けるべきノズル（１２）の種類が図１０に示された通りであれば、これに合わせて作業者は手動運転にて部品装着ステーション等のステーションに各ヘッド（１３）を移動させ、ノズル（１２）の交換を行なう。」
　
（２−２）対比・判断
（２−２−１）刊行物３に記載の発明の認定
　刊行物３の（３ｂ）には、「本発明は、部品の実装に先立ちノズルの装着ミスを調べる電子部品実装装置に関するもの」と記載されており、ここで「ノズルの装着ミスを調べる」とは、ノズルの取付状態を検査すると言い換えることができるから、刊行物３には、ノズル取付状態の検査方法が記載されているといえる。
　そして、この「ノズル取付状態の検査方法」は、（３ａ）の「部品の品種に応じた複数のノズルを備えた移載ヘッドを備え、・・・電子部品実装装置。」という記載によれば、移載ヘッドには複数本の電子部品吸着用のノズルを有するといえる。
　また、この「ノズル取付状態の検査方法」は、（３ｃ）の「３は移載ヘッド４の円周部に吸着する部品の品種に応じて複数本下向きに設けられるノズルである。・・・Ｓ２はロータリーヘッド２の下部に設けられ、かつ後に詳述する観察手段Ｂにより、ノズル３の水平投影画像を取得すると共に、ノズル３に吸着された部品Ｐの位置ずれΔＸ，ΔＹなどを計測する第１の認識ステーションである。・・・そしてロータリーヘッド２が矢印Ｍ方向にインデックス回転することにより、移載ヘッド４は部品供給ステーションＳ１、認識ステーションＳ２、部品実装ステーションＳ３、ノズル選択ステーションＳ４を順次循環してゆくものである。」という記載によれば、移載ヘッドに設けられるノズルを第１の認識ステーションに移動させているといえるから、検査対象のノズルを検査位置に移動させる工程を含むといえる。
　さらに、この「ノズル取付状態の検査方法」は、（３ａ）の「ノズルの水平投影画像を取得するカメラと、・・・を備えたことを特徴とする電子部品実装装置。」という記載によれば、ノズルを電子部品認識用のカメラにより撮像する工程を含むといえる。
　また、この「ノズル取付状態の検査方法」は、（３ｅ）の「５１はカメラ３１が得た画像を認識する認識部、５２はカメラ３１が得た画像やノズル高さ検出部Ｃが計測したノズル３の下端部の高さなどのデータを一時記憶する一時記憶部、５３は図５のフローチャートに従って注目しているノズルの品種を判定する判定部・・・判定部５３は一時記憶部５２の画像データを調べ、図６（ａ）のように大径の像について大ノズル（ステップ２）、図６（ｂ）のように小径の像について１００５ノズル（ステップ３）と判定する。」という記載によれば、撮像認識結果と対比するということは、対比対象データがデータ記憶部に記憶されているといえるから、撮像結果を認識しこの認識結果をノズルデータ記憶部に記憶された前記ノズルデータと対比して検査対象のノズルの有無および種類を判別する工程を含むといえる。
　さらに、この「ノズル取付状態の検査方法」は、（３ｅ）の「図５は本発明の一実施例における電子部品実装装置のノズル品種判定のフローチャートである。ここで図５の処理は本発明の一実施例における電子部品実装装置の運転開始時にノズル３が移載ヘッド４に装着された後、電子部品の実装動作の前に行われる。・・・ステップ１において、・・・大ノズル（ステップ２）、・・・１００５ノズル（ステップ３）と判定する。・・・どちらかは留保して（ステップ４）、・・・ノズルの下端部の高さデータを調べる（ステップ５）。・・・ほぼ一致すれば１６０８ノズルと判定し（ステップ６）、・・・一致すればメルフノズルと判定する（ステップ７）。」という記載によれば、ノズル品種判定のフローチャートは、動作プログラムと言い換えることができ、このプログラムは記憶部に記憶されているといえるし、ノズルが移載ヘッドに装着された後、電子部品の実装動作の前に行われるということは、全ての移載ヘッドの全てのノズルについて検査を行うといえるから、各動作をノズルチェックプログラム記憶部に記憶された動作プログラムに従って電子部品実装装置を動作させることにより全ての移載ヘッドの全てのノズルについて検査を行うといえる。
　以上の記載を本願補正発明の記載ぶりに則って整理すると、刊行物３には、次のとおりの発明（以下、「引用発明」という）が記載されているといえる。
　
「移載ヘッドが有する複数本の電子部品吸着用のノズルの取付状態を検査する電子部品実装装置におけるノズル取付状態の検査方法であって、ノズルデータ記憶部にノズルデータを記憶しておき、検査対象のノズルを検査位置に移動させる工程と、このノズルを電子部品認識用のカメラにより撮像する工程と、撮像結果を認識しこの認識結果をノズルデータ記憶部に記憶された前記ノズルデータと対比して検査対象のノズルの有無および種類を判別する工程とを含み、前記各動作をノズルチェックプログラム記憶部に記憶された動作プログラムに従って電子部品実装装置を動作させることにより、全ての移載ヘッドの全てのノズルについて検査を行う電子部品実装装置におけるノズル取付状態の検査方法。」
　
（２−２−２）本願補正発明と引用発明との対比
　そこで、本願補正発明と引用発明とを対比すると、両者は、
「移載ヘッドが有する複数本の電子部品吸着用のノズルの取付状態を検査する電子部品実装装置におけるノズル取付状態の検査方法であって、ノズルデータ記憶部にノズルデータを記憶しておき、検査対象のノズルを検査位置に移動させる工程と、このノズルを電子部品認識用のカメラにより撮像する工程と、撮像結果を認識しこの認識結果をノズルデータ記憶部に記憶された前記ノズルデータと対比して検査対象のノズルの有無および種類を判別する工程とを含み、前記各動作をノズルチェックプログラム記憶部に記憶された動作プログラムに従って電子部品実装装置を動作させることにより、全ての移載ヘッドの全てのノズルについて検査を行う電子部品実装装置におけるノズル取付状態の検査方法。」という点で一致し、次の点で相違しているといえる。
　
相違点（イ）
　ノズルデータ記憶部に記憶しておくノズルデータが、本願補正発明は、「移載ヘッドのノズルの配置図とノズル形状データを含む」ものであるのに対し、引用発明は、移載ヘッドのノズルの配置図とノズル形状データを含むか否か不明である点
　
相違点（ロ）
　本願補正発明は、「判別結果によりノズルの取付エラーが検出される都度エラー情報登録を行い、この登録を行った時点で報知手段によりその旨報知するとともに、誤って取付けられているノズルの種類をモニタに表示する工程」を含むのに対して、引用発明は、このような工程を含むか否か不明である点
　
（２−２−３）相違点についての判断
　次に、この相違点について検討する。
（１）相違点（イ）について
　刊行物４及び５に示されているように、移載ヘッドのノズルの配置図とノズル形状データを含むノズルデータをノズルデータ記憶部に記憶しておくことは、本出願前周知の事項といえるから、この周知の事項を引用発明に用いることは、当業者が容易に想到することといえる。
　してみると、ノズルデータ記憶部に記憶しておくノズルデータとして「移載ヘッドのノズルの配置図とノズル形状データを含む」ものとすることは、刊行物４及び５に示される本出願前当業者に周知の事項に基づいて当業者が容易に想到することといえる。
　
（２）相違点（ロ）について
　特開平５−４１６００号公報、特開平５−２３７７８５号公報、特開平８−２０４３９９号公報、特開平９−２０５２９３号公報等に示されているように、電子部品の実装においてエラーを報知し、各種のエラー情報を表示することは、本出願前当業者に周知の事項といえるから、ノズルの取付エラーを報知し、エラー情報として取付エラーのノズルの種類を表示する工程を含むものとすることは、当業者が周知の事項に基づいて容易に想到することといえる。
　
（２−２−４）小括
　以上のように、本願補正発明は、引用発明、及び本出願前当業者に周知の事項に基づいて当業者が容易に発明をすることができたものといえるから、特許法第２９条第２項の規定により特許出願の際独立して特許を受けることができないものである。
　
（２−３）むすび
　したがって、本件補正は、特許法第１７条の２第５項で準用する同法第１２６条第５項の規定に違反するから、同法第１５９条第１項の規定において読み替えて準用する同法第５３条第１項の規定により却下すべきものである。
　
３．本願発明についての審決
（１）本願発明
　平成１７年２月１８日付け手続補正は、上記のとおり却下すべきものであるから、本願に係る発明は、平成１６年１２月３日付け手続補正書によって補正された特許請求の範囲の請求項１に記載された事項により特定される次のとおりのものである。
　
「移載ヘッドが有する複数本の電子部品吸着用のノズルの取付状態を検査する電子部品実装装置におけるノズル取付状態の検査方法であって、ノズルデータ記憶部に移載ヘッドのノズルの配置図とノズル形状データを含むノズルデータを記憶しておき、検査対象のノズルを検査位置に移動させる工程と、このノズルを電子部品認識用のカメラにより撮像する工程と、撮像結果を認識しこの認識結果をノズルデータ記憶部に記憶された前記ノズルデータと対比して検査対象のノズルの有無および種類を判別する工程と、判別結果によりノズルの取付エラーが検出され報知手段により報知する工程とを含み、前記各動作をノズルチェックプログラム記憶部に記憶された動作プログラムに従って電子部品実装装置を動作させることにより、全ての移載ヘッドの全てのノズルについて検査を行うことを特徴とする電子部品実装装置におけるノズル取付状態の検査方法。」（以下、「本願発明」という。）
　
（２）原査定の理由の概要
　原査定の理由の概要は、次のとおりのものである。
　本願発明は、本出願前頒布された刊行物１〜３に基づいて当業者が容易に発明をすることができたものであるから、特許法第２９条第２項の規定により特許を受けることができない。
［引用刊行物］
１．特開平６−１０４５９６号公報
２．特開平７−１８３６９４号公報
３．特開平８−８６００号公報
　
（３）引用刊行物と引用発明
　原査定の拒絶理由に引用された刊行物１〜３とその記載事項は、上記「２．（２）（２−１）」に記載されたとおりのものであって、引用発明も、上記「２．（２）（２−２−１）」に示したとおりのもの、すなわち、以下のとおりのものである。
　
「移載ヘッドが有する複数本の電子部品吸着用のノズルの取付状態を検査する電子部品実装装置におけるノズル取付状態の検査方法であって、ノズルデータ記憶部にノズルデータを記憶しておき、検査対象のノズルを検査位置に移動させる工程と、このノズルを電子部品認識用のカメラにより撮像する工程と、撮像結果を認識しこの認識結果をノズルデータ記憶部に記憶された前記ノズルデータと対比して検査対象のノズルの有無および種類を判別する工程とを含み、前記各動作をノズルチェックプログラム記憶部に記憶された動作プログラムに従って電子部品実装装置を動作させることにより、全ての移載ヘッドの全てのノズルについて検査を行う電子部品実装装置におけるノズル取付状態の検査方法。」
　
（４）対比・判断
　本願発明は、「・・・判別結果によりノズルの取付エラーが検出されたならば報知手段により報知する工程・・・」というものであり、本願補正発明は、「・・・判別結果によりノズルの取付エラーが検出される都度エラー情報登録を行い、この登録を行った時点で報知手段によりその旨報知するとともに、誤って取付けられているノズルの種類をモニタに表示する工程・・・」というものであって、報知工程に、エラー情報登録とモニタ表示との限定のないもの、すなわち「検出される都度エラー情報登録を行い、この登録を行った時点で・・・その旨報知するとともに、誤って取付けられているノズルの種類をモニタに表示する」という限定のないものといえる。
　そうすると、本願発明と上記引用発明との相違点は、本願補正発明の場合の相違点（イ）（ロ）と実質的に共通するものであり、この点についての判断は、上記「２．（２）（２−２−３）」で言及したとおり当業者が容易に想到するものであるから、本願発明も、本願補正発明と同様に、引用発明、刊行物１〜３に記載の発明及び本出願前当業者に周知の事項に基づいて当業者が容易に発明をすることができたものといえる。
　
４．むすび
　したがって、本願発明は、特許法第２９条第２項の規定により、特許を受けることができないものであるから、本願は、拒絶すべきものである。
　よって、結論のとおり審決する。